(57)【特許請求の範囲】
【請求項１】
スプリンクラーヘッドと天井内に配設される給水管とを接続するための接続具であって、接続具本体の後端部に横向きに開口する配管接続部と、先端部近傍に下向きに開口するスプリンクラーヘッド接続部と、かつ先端部に接続具本体を構造体に対し間接的に固定するためのヒレ状取付け部とを有し、前記接続具本体は、上面が水平かつ横幅一定で、前記配管接続部から前記スプリンクラーヘッド接続部にかけて上下方向の幅が徐々に狭くなって、前記スプリンクラーヘッド接続部における上下方向の幅が前記配管接続部における上下方向の幅に比べ小さくなっていることを特徴とするスプリンクラーヘッドと配管の接続具。
【請求項２】
前記配管接続部から流入する水の流路の断面積が前記配管接続部から前記スプリンクラーヘッド接続部にかけて徐々に小さくなって、前記スプリンクラーヘッド接続部における前記断面積が前記配管接続部における前記断面積に比べ小さくなっていることを特徴とする請求項１記載のスプリンクラーヘッドと配管の接続具。
【請求項３】
前記配管接続部から流入する水の流路の上下方向の路幅において、前記スプリンクラーヘッド接続部における前記路幅が前記配管接続部における前記路幅の１／２以下であることを特徴とする請求項１または２記載のスプリンクラーヘッドと配管の接続具。
【請求項４】
取付け部は接続具本体と一体成形されたものであることを特徴とする請求項１、２または３記載のスプリンクラーヘッドと配管の接続具。
【発明の詳細な説明】
【技術分野】
【０００１】
本発明はスプリンクラーヘッドと配管の接続具に関し、スプリンクラーヘッドを天井ふところ内にコンパクトにかつ強固に固定して設置できるようにしたものである。
【背景技術】
【０００２】
例えば、図３に図示するように、スプリンクラーヘッド１は一般に、給水管２に接続具３を介して下向きに接続され、火災時の熱をいち早く感知して放水できるように天井付近に設置されている。
【０００３】
また、全体が室内に大きく突出して美観を損なわないように、給水管２および接続具３とともにその大部分が天井ふところ４内に収容され、スプリンクラーヘッド１の先端部分のみが室内に突出している。
【０００４】
しかし、従来の接続具３は図示するように縦長に形成され、その上端側が給水管２に接続され、下端側にスプリンクラーヘッド１が接続されている。このため給水管２と接続具３、さらにスプリンクラーヘッド１の大部分を天井ふところ内に収容するとなると天井ふところを相当大きくする必要があり、その分居室の天井高が制限され、必要な天井高を確保するためには階高を高くし、これに伴ない建物全体を高くする必要があった。
【０００５】
これに対し、特許文献１にもスプリンクラーヘッド１が給水管２（枝管１８）に接続具３（箱体２４）を介して下向きに接続されている例が記載されている。
【０００６】
【特許文献１】特開平１０−２９５８４４号公報
【発明の開示】
【発明が解決しようとする課題】
【０００７】
しかし、スプリンクラーヘッド１は、給水管２に接続具３と共に下方に所定長延びた状態で取り付けられているため、放水時の高水圧でスプリンクラーヘッド１が振動し、放水に支障をきたすおそれがあった。
【０００８】
特に、特許文献１のものは、狭い天井ふところ内に収容できるように扁平な形態をしていないため、スプリンクラーヘッドを取り付けるために天井ふところを大きくする必要があった。また、スプリンクラーヘッドおよび接続具が周辺の構造体に固定されていないため、放水時の振動が大きく放水に支障をきたすおそれがあった。
【０００９】
本発明は、以上の課題を解決するためになされたもので、天井ふところ内にコンパクトに収納でき、かつ放水時の高水圧で振動しないように強固に設置できるようにしたスプリンクラーヘッドと配管との接続具を提供することを目的とするものである。
【課題を解決するための手段】
【００１０】
請求項１記載のスプリンクラーヘッドと配管の接続具は、続具本体の後端部に横向きに開口する配管接続部と、先端部近傍に下向きに開口するスプリンクラーヘッド接続部と、かつ先端部に接続具本体を構造体に対し間接的に固定するためのヒレ状取付け部とを有し、前記接続具本体は、上面が水平かつ横幅一定で、前記配管接続部から前記スプリンクラーヘッド接続部にかけて上下方向の幅が徐々に狭くなって、前記スプリンクラーヘッド接続部における上下方向の幅が前記配管接続部における上下方向の幅に比べ小さくなっていることを特徴とするものである。
【００１１】
本発明は、接続具本体およびスプリンクラーヘッドを構造体に取付け部を介して間接的に固定できるようにして、スプリンクラーヘッドからの高圧の放水によって生じるスプリンクラーヘッドおよび接続部近傍の振動を効果的に抑えるようにしたものである。
【００１２】
なお、取付け部の形状は特に限定されるものではないが、特にヒレ状に形成することにより加工が容易でコンパクトに形成することができる。また、取付け部は接続具本体と一体形成されたものでも、あるいは接続具本体と別途形成され、ネジ止め等によって後付けされたものでもよい。
【００１３】
またここで、構造体とはスラブや梁などで、特に梁成（梁の高さ）の大きい梁下にスプリンクラーヘッドを取り付ける場合でも、本発明を利用することにより、高い天井高を確保することができる。
【００１４】
また、本発明のスプリンクラーヘッドと配管の接続具は、上面がほぼ水平で、スプリンクラーヘッド接続部における上下方向の幅が配管接続部における上下方向の幅に比べ小さいことを特徴とするものである。
【００１５】
本発明は、接続具の全体形状を扁平な形状とし、さらにスプリンクラーヘッドの高さ分の一部を接続具のふところ高さで吸収できる形状とすることで、天井高さが極端に小さい場合でも給水管とスプリンクラーヘッドの取り合いを可能に、またその分、必要な天井高を確保しつつ建物の階高を抑えられるようにしたものである。
【００１６】
更に、本発明のスプリンクラーヘッドと配管の接続具は、前記配管接続部から前記スプリンクラーヘッド接続部にかけて上下方向の幅が徐々に狭まっていることを特徴とするものである。
【００１７】
請求項４記載のスプリンクラーヘッドと配管の接続具は、請求項１，２または３記載のスプリンクラーヘッドと配管の接続具において、取付け部は接続具本体と一体成形されたものであることを特徴とするものである。
【００１８】
本発明は、取付け部を接続具本体と一体形成することにより製造コストの低減化等を可能にしたものである。
【００１９】
なお、本発明のスプリンクラーヘッドと配管の接続具は、取付け部を天井内に垂下させたまたは立ち上げた固定金具または固定部材に止め付けるための取付け部とすることができる。この場合の固定金具または固定部材としては、例えば鋼板などを曲げ加工して容易に得られるアングル材などを用いることができる。
【００２０】
また、スプリンクラーヘッド部は、上記請求項１，２，３または４記載の接続具とスプリンクラーヘッドが一体形成されたものとすることができる。
【００２１】
本発明の接続具とスプリンクラーヘッドを一体形成することで、スプリンクラー設備の部品数を減らし、部品管理と工事の簡単化を図れる。
【発明の効果】
【００２２】
本発明は、接続具の全体形状が扁平であり、スプリンクラーヘッドの高さ分の一部を接続具のふところ高さで吸収できるので、天井ふところ寸法が極端に小さい場合でも配管とスプリンクラーヘッドの取り合いが可能である。また、その分、建物の階高を抑えることができ、経済性が高い。
【００２３】
また、接続具が、接続具先端部の取付け部を介して、スプリンクラーヘッドの近傍で固定されるため、スプリンクラーヘッドからの高圧の放水によって生じるスプリンクラーヘッドおよび接続部近傍の振動を効果的に抑えることができる。
【発明を実施するための最良の形態】
【００２４】
図１と図２は、本発明の一例を示し、スプリンクラーヘッド１と給水管２が接続具３を介して接続されている。また、スプリンクラーヘッド１の大部分と給水管２および接続具３は天井ふところ４内に収容され、スプリンクラーヘッド１の先端部分１ａのみが天井面からわずかに突出している。
【００２５】
接続具本体の後端部に横向きに開口する配管接続部３ａが設けられ、当該配管接続部３ａに給水管２が接続されている。また、接続具本体の先端部近傍に下向きに開口するスプリンクラーヘッド接続部３ｂが設けられ、当該スプリンクラーヘッド接続部３ｂにスプリンクラーヘッド１が接続されている。
【００２６】
さらに、接続具本体の先端部にヒレ状取付け部３ｃが設けられ、当該ヒレ状取付け部３ｃをスラブ等の構造体５の水平面に固定金具６を介しビス止めすることにより、接続具３はスプリンクラーヘッド１と共に構造体５に間接的に固定されている。
【００２７】
この場合、ヒレ状取付け部３ｃは、例えば図２(ａ)，(ｂ)，(ｃ)に図示するように、接続具本体の先端部に左右対称に設けられている。また、ヒレ状取付け部３ｃ，３ｃは接続具本体と一体に成形されている。そして、このヒレ状取付け部３ｃ，３ｃをスラブなどの構造体５に垂設された固定金具６にビス止めすることにより、接続具３はスプリンクラーヘッド１と共に構造体５に間接的に固定されている。
【００２８】
なお、ヒレ状取付け部３ｃは接続具本体の先端部にネジ止め等の方法により後付けされたものでもよい。
【００２９】
このように、接続具３とスプリンクラーヘッド１が構造体５にヒレ状取付け部３ｃを介して間接的に固定されていることで、スプリンクラーヘッド１からの高圧の放水によって生じるスプリンクラーヘッド１および接続部近傍の振動を効果的に抑えることができる。
【００３０】
また、接続具３の上端面３ｄはほぼ水平に形成され、かつスプリンクラーヘッド接続部３ｂにおける上下方向の幅Ｗ１は配管接続部３ａにおける上下方向の幅Ｗ２に比べて小さく形成され、さらに配管接続部３ａからスプリンクラーヘッド接続部３ｂにかけて上下方向の幅が徐々に狭まった状態に形成されている。
【００３１】
このように形成されていることで、接続具３の全体形状が扁平をなしてスプリンクラーヘッド１の高さ分の一部を接続具３のふところ高さで吸収できるので、天井ふところ高さが極端に小さい場合でも給水管２とスプリンクラーヘッド１の取り合いが可能になり、またその分、必要な天井高を確保しつつ建物の階高を抑えることができ、経済性が高い。
【図面の簡単な説明】
【００３２】
【図１】スプリンクラーヘッド、給水管および接続具の配置状態を示す天井ふところ内の縦断面図である。
【図２】スプリンクラーヘッド、給水管および接続具の配置状態を示す天井ふところ内を示し、(ａ)は縦断面図、(ｂ)は横断面図、そして（ｃ）は接続具の一部端面図である。
【図３】スプリンクラーヘッド、給水管および接続具の配置の状態の従来例を示す天井ふところ内の縦断面図である。
【符号の説明】
【００３３】
１  スプリンクラーヘッド
２  給水管
３  接続具
３ａ  配管接続部
３ｂ  スプリンクラーヘッド接続部
３ｃ  ヒレ状取付け部（取付け部）
３ｄ  接続具の上端面
４  天井ふところ
５  構造体
【図１】
0004933366.tif 000002
【図２】
0004933366.tif 000003
【図３】
0004933366.tif 000004